(57)【要約】【課題】起動処理の進捗状況をユーザに提示できる表示装置を提供する。【解決手段】表示装置１００は、外部機器と無線通信を行う無線通信部１２０と、起動処理の進捗を表示する表示部１４０と、制御部１１０と、を備える。無線通信部１２０の起動処理中に、制御部１１０は、予め設定されている想定起動処理時間に対する起動処理開始後の経過時間の割合を示す起動処理進捗情報を表示部１４０に表示させる。起動処理進捗情報は、第一の進捗状況表示部と、第二の進捗状況表示部と、第三の進捗情報表示部とを備える。【選択図】図２
2018074245.tif 000002
【特許請求の範囲】
【請求項１】
外部機器と無線通信を行う無線通信部と、
前記無線通信部の起動処理の進捗を表示する表示部と、
前記無線通信部の起動処理中に、予め設定されている想定起動処理時間に対する起動処理開始後の経過時間の割合を示す起動処理進捗情報を前記表示部に表示させる制御部と、を備える、
表示装置。
【請求項２】
前記制御部は、前回までの起動処理時間を基準にして、前記想定起動処理時間を設定する、
請求項１に記載の表示装置。
【請求項３】
前記起動処理進捗情報は、前記想定起動処理時間に対応する第一の進捗状況表示部と、前記想定起動処理時間の誤差時間に対応する第二の進捗状況表示部と、を備える進捗情報画像を含み、
前記制御部は、
前記起動処理の開始からの経過時間が前記想定起動処理時間に一致したときに、前記第一の進捗状況表示部が塗りつぶされるように、前記第一の進捗状況表示部の塗りつぶし領域を前記経過時間に応じて増大し、
前記経過時間が前記想定起動処理時間に一致した後の経過時間が最大誤差時間に一致したときに、前記第二の進捗状況表示部が塗りつぶされるように、前記第二の進捗状況表示部の塗りつぶし領域を前記経過時間に応じて増大するように、前記表示部を制御する、
請求項１又は２に記載の表示装置。
【請求項４】
前記進捗情報画像は、起動処理の完了に対応する第三の進捗状況表示部を含み、
前記制御部は、前記無線通信部の前記起動処理が完了したときに前記第二の進捗状況情報表示部と前記第三の進捗状況表示部と全体を塗りつぶすように、前記表示部を制御する、
請求項３に記載の表示装置。
【発明の詳細な説明】
【技術分野】
【０００１】
本発明は、表示装置に関する。
【背景技術】
【０００２】
表示装置として、画像表示素子とこの画像表示素子に情報を表示させるための制御装置とを備え、速度計などのメータ画像を表示する車両用のものが知られている。
【０００３】
さらに、メータ画像の他に、携帯端末などの外部機器から送信された情報を表示する表示装置が、特許文献１に開示されている。
【先行技術文献】
【特許文献】
【０００４】
【特許文献１】特開２００３−２４４３４３号公報
【発明の概要】
【発明が解決しようとする課題】
【０００５】
特許文献１に開示されている表示装置は、無線通信部の起動処理中には、外部から情報を取得できない。このため、表示装置の表示画面には起動処理中何も表示されない状態になる。このため、ユーザは、無線通信部が現在起動処理中であるのか、起動処理全体のうち、どの程度進捗したのか、あるいは、起動処理が完了するまでの残り時間はどのくらいなのかといった、起動処理の進捗状況を把握できなかった。
【０００６】
本発明は、上記問題点に鑑みてなされたものであり、起動処理の進捗状況をユーザに提示できる表示装置を提供することを目的とする。
【課題を解決するための手段】
【０００７】
上記目的を達成するため、本発明に係る表示装置は、
外部機器と無線通信を行う無線通信部と、
前記無線通信部の起動処理の進捗を表示する表示部と、
前記無線通信部の起動処理中に、予め設定されている想定起動処理時間に対する起動処理開始後の経過時間の割合を示す起動処理進捗情報を前記表示部に表示させる制御部と、を備える。
【発明の効果】
【０００８】
本発明の表示装置によれば、起動処理の進捗状況をユーザに提示できる。
【図面の簡単な説明】
【０００９】
【図１】本発明の実施形態に係る表示装置と外部機器との全体図である。
【図２】本発明の実施形態に係る表示装置と外部機器の主要部のブロック図である。
【図３】本発明の実施形態の起動処理進捗状況情報表示中の表示部を示す図である。
【図４】本発明の実施形態の起動処理進捗状況情報表示中の表示範囲の構成を示す図である。
【図５】本発明の実施形態の経過時間変動表示範囲の説明図である。
【図６】本発明の実施形態の誤差時間変動表示範囲の説明図である。
【図７】本発明の実施形態の処理完了後変動表示範囲の説明図である。
【図８】本発明の実施形態の無線通信部の起動処理進捗状況情報表示処理のフローチャートである。
【発明を実施するための形態】
【００１０】
以下、本発明の実施の形態に係る表示装置を図面を参照して説明する。
図１に示すように、本実施の形態に係る車両用の表示装置（車載計器）１００は、ＥＣＵ（Electronic Control Unit）３００から取得した車両の速度などを表示するメータ表示部１０１と、スマートフォンなどの携帯端末（外部機器）２００から取得した情報を表示する情報表示部１０２とを備える。これらの構成は、合成樹脂からなるケースに保持され、運転中に確認しやすいように、車両前方のインストルメントパネルに配置される。
【００１１】
図２に示すように、表示装置１００は、制御部１１０と、無線通信部１２０と、有線通信部１３０と、表示部１４０とを備える。
【００１２】
制御部１１０は、マイクロコンピュータから構成され、ＲＯＭ(Read Only Memory)１１１と、ＲＡＭ(Random Access Memory)１１２と、ＣＰＵ（Central Processing Unit)１１３と、入出力（Ｉ／Ｏ）インタフェース（Ｉ／Ｆ）１１４と、描画回路１１５と、これらを相互に接続する内部バスとを備える。
【００１３】
ＲＯＭ１１１は、ＣＰＵ１１３が実行する動作プログラム、表示部１４０に出力するための画像及びフォントなどの各種固定データを格納する。ＲＯＭ１１１は、例えば、携帯端末２００から無線通信を介して情報を取得して表示部１４０に表示させる動作プログラムを記憶する。また、ＲＯＭ１１１は、無線通信が確立されていない時点において、後述する起動処理進捗情報１を表示部１４０に表示させる処理である起動処理進捗状況情報表示処理をＣＰＵ１１３に実行させる動作プログラムを記憶する。
【００１４】
ＲＡＭ１１２は、ＣＰＵ１１３のワークエリアとして機能する。また、ＲＡＭ１１２は、後述する無線通信部１２０の前回までの起動処理時間、コンテンツ情報、車両の走行履歴などを保存する。また、ＲＡＭ１１２は、過去の起動処理に要した時間の履歴を記憶している。
【００１５】
入出力インタフェース（Ｉ／Ｆ）１１４は、ＣＰＵ１１３の制御に従って、表示部１４０の後述するバックライト（図ではＬＥＤと表示）１４１に駆動信号を供給し、点灯、消灯する。
【００１６】
描画回路１１５は、ＣＰＵ１１３の制御に従って、表示部１４０の後述するＬＣＤパネル（図ではＬＣＤと表示）１４２に表示する画像を描画する。
【００１７】
ＣＰＵ１１３は、ＲＡＭ１１２をワークエリアとして使用して、ＲＯＭ１１１に記憶された動作プログラムを実行することにより、制御処理を実行する。具体的には、ＣＰＵ１１３は、ＥＣＵ３００などから有線通信部１３０の第２の通信インタフェース（Ｉ／Ｆ）１３１を介して受信した車両情報に基づいて、表示対象の情報を生成する。なお、車両情報は、車両速度、走行距離、バッテリ電圧、燃料の残量、水圧、水温、油圧、油温、警告情報などを含む。警告情報は、例えば、スピードの警告、水温・油温の警告、水圧・油圧の警告、残燃料の警告などを含む。また、走行履歴情報は、車両の走行履歴（日時刻と位置（緯度経度）の履歴、日時別の走行距離の情報）などを含む。
【００１８】
また、ＣＰＵ１１３は、動作プログラムに従って、携帯端末２００と無線通信し、携帯端末２００から取得したコンテンツ情報に基づいて、表示情報を生成する。ＣＰＵ１１３は、生成した表示情報を、描画回路１１５により描画し、ＬＣＤパネル１４２に表示させる。
【００１９】
また、ＣＰＵ１１３は、携帯端末２００との無線通信が確立される前、車両の始動時等には、後述する起動処理進捗情報１を算出し、ＬＣＤパネル１４２に表示するという特有な起動処理進捗状況情報表示処理を実行する。この起動処理進捗状況情報表示処理の詳細は後述する。この処理を行うために、ＣＰＵ１１３は、内部タイマにより、後述する起動処理時間ｔ１、基準時間ｔ２などの測定を行う。
【００２０】
無線通信部１２０は、第１の通信インタフェース（Ｉ／Ｆ）１２１を備える。第１の通信インタフェース（Ｉ／Ｆ）１２１は、制御部１１０の内部バスに接続され、携帯端末２００からコンテンツ情報を取得する。第１の通信Ｉ／Ｆ１２１は、例えばＷｉ−ＦｉやＢｌｕｅｔｏｏｔｈ（登録商標）などによって携帯端末２００と無線通信し、携帯端末２００から取得（受信）したコンテンツ情報を制御部１１０へ送信する。コンテンツ情報は、ナビゲーション情報、音楽情報、ニュース情報、広告情報など、携帯端末２００が直接又は間接的に生成し、表示部１４０に表示する任意の情報である。また、第１の通信Ｉ／Ｆ１２１は、車両情報などを携帯端末２００へ送信する。
【００２１】
有線通信部１３０は、第２の通信インタフェース（Ｉ／Ｆ）１３１を備える。第２の通信インタフェース（Ｉ／Ｆ）１３１は、制御部１１０の内部バスに接続され、表示装置１００とは別に車載されたＥＣＵ３００などの他のユニットとシリアル通信可能なケーブルで接続されており、各ユニットからの情報を入力する。
【００２２】
表示部１４０は、ドットマトリックス型の液晶表示（ＬＣＤ：Liquid Crystal Display）パネル１４２と、ＬＥＤ（Light Emitting Diode）から構成されたバックライト（図２では、単にＬＥＤと表示）１４１とから構成される。
【００２３】
ＬＣＤパネル１４２は、描画回路１１５によって生成された描画データに基づいて、画素毎に透過／不透過を切り替えて表示像（画像）を形成する。
【００２４】
表示部１４０は、ＬＣＤパネル１４２が車両利用者から視認できるように、車両利用者に対向する位置や角度にて設けられる。
【００２５】
携帯端末２００は、車両とは独立した可搬型の情報処理装置であり、スマートフォンなどから構成される。携帯端末２００は、制御部２１０と無線通信部２２０と表示部２３０とを備えている。表示装置１００と携帯端末２００とは、無線通信部１２０，２２０によって無線通信の接続動作が行われた後に、無線通信を確立して互いを接続する。
【００２６】
携帯端末２００の制御部２１０は、アプリケーションプログラム、例えば、ナビゲーションプログラム、楽曲再生プログラム、ブラウザプログラムを実行し、そのコンテンツ情報を無線通信部２２０を介して表示装置１００に送信する。
【００２７】
ＥＣＵ３００は、油圧センサ、水温センサ、バッテリセンサ、残燃料センサ、オイル温度センサ、ギアポジション検出部、方向指示器、前照灯機器、ドア開閉センサ、車速センサなどの各種センサなどから、車両の状態に関する情報（車両情報）を入力し、制御部１１０に送信する。
【００２８】
上記構成において、表示装置１００は、携帯端末２００との無線通信が確立されるまでの間、携帯端末２００からコンテンツ情報を取得できず、コンテンツ情報を表示できない。この状態を放置すると、ユーザにいつコンテンツ情報を表示できるようになるかを知らせることができず、違和感を感じさせることになる。そこで、ＣＰＵ１１３は、図３に例示するように、起動処理進捗情報１を作成し、ＬＣＤパネル１４２に表示する。
【００２９】
起動処理進捗情報１は、図３に例示するように、処理状況情報１０と、起動処理進捗状況表示枠２０と、処理済情報３０と、未処理情報４０とを備え、想定される起動処理時間に対する起動処理開始後の経過時間の割合を示す進捗情報画像から構成される。
【００３０】
処理状況情報１０は、無線通信部１２０の起動処理に関して、現在の処理状況を表示する情報である。処理状況情報１０は、例えば、起動処理開始、起動処理中、起動処理完了などの文字で構成される。
【００３１】
起動処理進捗状況表示枠２０は、無線通信部１２０の起動処理の進捗状況を示すための枠の画像である。図３に示す、左右に伸びる角の丸い矩形の中抜きの枠が、起動処理進捗状況枠２０である。無線通信部１２０の起動処理の経過時間に応じて、この起動処理進捗状況枠２０の中抜き部分に着色していくことで、ユーザに無線通信部１２０の起動処理の進捗状況を提示する。
【００３２】
処理済情報３０は、無線通信部１２０の起動処理作業の全作業のうち、処理済の作業の割合を示すものである。表示部１４０に表示されている、起動処理進捗状況表示枠２０の中抜き部分に、無線通信部１２０の起動処理の経過時間に応じて着色されている部分が処理済情報３０である。
【００３３】
未処理情報４０は、無線通信部１２０の起動処理作業の全作業のうち、未処理の作業の割合を示すものである。表示部１４０に表示されている、起動処理進捗状況表示枠２０の中抜き部分の、着色されていない部分が未処理情報４０である。
【００３４】
起動処理進捗状況表示枠２０は、図４に示すように、経過時間変動表示範囲（第一の進捗状況表示部）５０と、誤差時間変動表示範囲（第二の進捗状況表示部）６０と、処理完了後変動表示範囲７０（第三の進捗状況表示部）とを備えている。
【００３５】
経過時間変動表示範囲５０は、起動処理に要すると想定される時間である想定起動処理時間Ｔ３に対する現在の起動処理時間ｔ１の割合に応じて表示が変化する部分である。起動処理開始時には、経過時間変動表示範囲５０は、着色されていない。図５に示すように、経過時間変動表示範囲５０は、１１個の経過時間着色単位８０に分割されている。経過時間着色単位８０は、所定時間Ｔ４（＝想定起動処理時間Ｔ３／１１）経過する毎に、１個ずつ着色され、想定起動処理時間Ｔ３が経過したときに経過時間変動表示範囲５０全体が着色される。
【００３６】
図４に示す誤差時間変動表示範囲６０は、予め設定された起動処理時間の想定最大誤差時間Ｔ６に対応して、例えば、１５秒〜６０秒程度の時間に設定されている。起動処理開始時には、誤差時間変動表示範囲６０は着色されていない。図６に示すように、誤差時間変動表示範囲６０は、４個の誤差時間変動着色単位９０に分割されている。誤差時間変動着色単位９０は、所定時間Ｔ５（＝想定最大誤差時間Ｔ６／４）経過する毎に、１個ずつ着色され、想定最大誤差時間Ｔ６が経過したときに誤差時間変動表示範囲６０全体が着色される。
【００３７】
このように、起動処理の時間が経過するに従って、経過時間着色単位８０と誤差時間着色単位９０とが順番に１個ずつ着色され、処理済情報３０となる。
【００３８】
処理完了後変動表示範囲７０は、無線通信部１２０の起動処理が完了した後に着色される部分である。処理完了後変動表示範囲７０は、起動処理完了までは着色されず、起動処理完了後、全体が一括で着色され、図７に示すようになる。
【００３９】
次に、無線通信部１２０の起動処理が行われる際の起動処理進捗状況情報表示処理を、図８に示すフローチャートを参照して説明する。
【００４０】
車両のイグニッションがオンされると、制御部１１０のＣＰＵ１１３は、携帯端末２００との接続を確立すべく、無線通信部１２０の起動処理を開始する。
【００４１】
ＣＰＵ１１３は、無線通信部１２０の起動処理と並行して、図８に示す起動処理進捗状況情報表示処理を開始する。
まず、ＣＰＵ１１３は、ＬＣＤパネル１４２に、起動処理進捗情報１である、「起動処理開始」を示す処理状況情報１０と内部が着色されていない起動処理進捗状況表示枠２０とを表示する（ステップＳ１）。続いて、ＣＰＵ１１３は、内部タイマにより無線通信部１２０の起動処理時間ｔ１の測定を開始する（ステップＳ２）。あわせて、経過時間変動単位時間Ｔ４と誤差時間変動単位時間Ｔ５の経過を判断するための基準時間ｔ２のカウントを開始する（ステップＳ３）。また、着色された誤差時間着色単位９０の数を示す変数ｎををゼロに設定する。
【００４２】
続いて、ＣＰＵ１１３は、無線通信部１２０から起動処理完了通知があったか否かを判別する（ステップＳ４）。無線通信部１２０からの起動処理完了通知が無い場合（ステップＳ４：Ｎｏ）、ＣＰＵ１１３は、測定中の起動処理時間ｔ１が下記の（１）式を満たすか否かを判別する（ステップＳ５）。
起動処理時間ｔ１  ≦  想定起動処理時間Ｔ３  ・・・（１）
想定起動処理時間Ｔ３は、ＲＡＭ１１２に記憶された直近の過去Ｎ回の起動処理時間の平均値である。（１）式を満たす場合（ステップＳ５：Ｙｅｓ）、ＣＰＵ１１３は、基準時間ｔ２が経過時間変動単位時間Ｔ４を経過したか否かを判別する（ステップＳ６）。経過時間変動単位時間Ｔ４は、経過時間変動表示範囲５０の表示を更新するための時間である。経過時間変動単位時間Ｔ４は、想定起動処理時間Ｔ３を経過時間着色単位８０の個数である１１で除算した時間である。基準時間ｔ２が経過時間変動単位時間Ｔ４以上であれば（ステップＳ６：Ｙｅｓ）、ＣＰＵ１１３は、図５に示す経過時間変動表示範囲５０内の経過時間着色単位８０を１ヶだけ、着色範囲が先頭から連続するように追加で着色し、また、処理状況情報１０を「起動処理中」とする（ステップＳ７）。また、処理状況情報１０を「起動処理完了」として、ＣＰＵ１１３は、基準時間ｔ２から経過時間変動単位時間Ｔ４を減算し、ステップ４に戻る。基準時間ｔ２が経過時間変動単位時間Ｔ４を経過していない場合（ステップＳ６：Ｎｏ）、ステップＳ７をスキップしてステップＳ４に戻る。
【００４３】
このような処理を繰り返すことにより、起動処理時間ｔ１が経過時間変動単位時間Ｔ４を経過する度に、経過時間着色単位８０が１個ずつ順次着色され、起動処理進捗状況表示枠２０内で、処理済情報３０の割合が増加し、未処理情報４０の割合が減少していく。
【００４４】
処理が進み、起動処理時間ｔ１が想定起動処理時間Ｔ３に達すると、ステップＳ５でＮｏと判別され、処理はステップＳ８に進み、ＣＰＵ１１３は、経過時間変動表示範囲５０の全体を着色する（ステップＳ８）。その後、ＣＰＵ１１３は、基準時間ｔ２≧誤差時間変動単位時間Ｔ５であるか否かを判別する（ステップＳ９）。誤差時間変動単位時間Ｔ５は、誤差時間変動表示範囲６０の表示を更新する周期に相当し、最大想定誤差時間Ｔ６を誤差時間着色単位９０の個数である４で除算した時間である。基準時間ｔ２≧誤差時間変動単位時間Ｔ５と判別されると（ステップＳ９：Ｙｅｓ）、ＣＰＵ１１３は、誤差時間着色単位９０の着色数を示す変数ｎが４であるか否かを判別する（ステップＳ１０）。ｎ＜４の場合、即ち、未着色の誤差時間着色単位９０が残っている場合（ステップＳ１０：Ｎｏ）、ＣＰＵ１１３は、図６に示す、誤差時間変動表示範囲６０内の誤差時間着色単位９０を１ヶ追加で着色する（ステップＳ１１）。さらに、ＣＰＵ１１３は、基準時間ｔ２から誤差時間変動単位時間Ｔ５を減算する（ステップＳ１１）。また、ＣＰＵ１１３は、誤差時間着色単位着色回数ｎに１を加算する（ステップＳ１１）。ＣＰＵ１１３は、基準時間ｔ２＜誤差時間変動単位時間Ｔ５の場合（ステップＳ９：Ｎｏ）と、ｎ＝４（即ち、誤差時間変動表示範囲６０全体が着色されている）場合（ステップＳ１０：Ｙｅｓ）、ステップＳ４に戻る。
【００４５】
このような処理を繰り返すことにより、起動処理時間ｔ１が誤差時間変動単位時間Ｔ５経過する度に、誤差時間着色単位９０が１個ずつ順次着色される。つまり、起動処理進捗状況表示枠２０内で、処理済情報３０の割合が増加し、未処理情報４０の割合が減少していく。そして、起動処理時間ｔ１が最大想定誤差時間Ｔ６を経過すると、誤差時間変動表示範囲６０全体が着色された状態で、表示は維持される。
【００４６】
一方、無線通信部１２０からの起動処理完了通知があった場合、ステップＳ４でＹｅｓと判別され、ＣＰＵ１１３は、無線通信部１２０の起動処理時間ｔ１の測定を停止し、測定した起動処理時間ｔ１をＲＡＭ１１２に保存する（ステップＳ１２）。続いて、ＣＰＵ１１３は、図７に示すように、経過時間変動表示範囲５０と、誤差時間変動表示範囲６０と、処理完了後変動表示範囲７０との全体を着色し、処理状況情報１０を「起動処理完了」として、これを一定時間表示部１４０に表示する（ステップＳ１３）。
この後、ＣＰＵ１１３は、通常の表示動作に移行する。
【００４７】
以上の処理を行うことによって、携帯端末２００との無線通信が確立するまでの間、表示部１４０を通して、ユーザは、無線通信部１２０の起動処理の進捗状況を把握できる。
特に、本実施形態では、今回の起動処理時間ｔ１が想定起動処理時間Ｔ３より長くなり経過時間変動表示範囲５０が全て着色されても、誤差時間変動表示範囲６０に未着色の部分があるので、ユーザは今回の起動処理が未完了であると認識できる。
また、今回の起動処理時間ｔ１が何らかの事情で想定起動処理時間Ｔ３よりも大幅に長くなり、誤差時間変動表示範囲６０が全て着色された状態になっても、処理完了後変動表示範囲７０が未着色なので、ユーザは今回の起動処理が未完了であると認識できる。
【００４８】
以上本発明の実施の形態を説明したが、この発明は上記実施の形態に限定されず、種々の応用及び変形が可能である。
【００４９】
本実施形態では、無線通信部１２０の起動処理の進捗状況を示す図形は、左右に伸びているものとしたが、上下方向に伸びていてもよい。あるいは、進捗状況を示す図形は円グラフ等であってもよい。
【００５０】
また、本実施形態では、無線通信部１２０の起動処理の時間の経過につれて、図形の着色量が増加する仕様、つまり起動処理の経過時間の割合を表示する仕様であったが、起動処理の時間の経過につれて、図形の着色量が減っていく仕様、残り時間を表示する仕様であってもよい。無線通信部１２０の起動処理の進捗状況を示すものは、図形だけでなく、進捗の目安を示す数値等を表示部１４０に表示するように構成してもよい。
【００５１】
本実施形態では、起動処理進捗状況表示枠２０が経過時間変動表示範囲５０と、誤差時間変動表示範囲６０と、処理完了後変動表示範囲７０とを備える構成を例示した。他の実施形態として、経過時間変動表示範囲５０と誤差時間変動表示範囲６０とを備え、処理完了後変動表示範囲７０を備えない構成でもよい。この場合は、例えば、誤差時間変動表示範囲６０に対応する想定最大誤差時間Ｔ６を十分に長く取り、例えば、起動処理が終了したときに、誤差時間変動表示範囲６０全体を着色するようにすればよい。
【００５２】
また、本実施形態では、経過時間着色単位８０の数を１１、誤差時間着色単位９０の数を４としたが、これらの数は任意である。
経過時間着色単位８０、誤差時間着色単位９０の数を十分に大きくすれば、ユーザに、処理済情報３０が連続的に変化しているような視覚的印象を与えることが可能となる。
【００５３】
本実施形態では、経過時間着色単位８０、経過時間着色単位９０の数を固定して、経過時間変動単位時間Ｔ４、誤差時間変動単位時間Ｔ５が変動する構成を例示した。他の実施形態として、経過時間変動単位時間Ｔ４、誤差時間変動単位時間Ｔ５を予め設定された長さとして、経過時間着色単位８０、誤差時間着色単位９０の数が下式を満たすように、調整してもよい。
想定起動処理時間Ｔ３＝経過時間着色単位８０の数×経過時間変動単位時間Ｔ４
想定最大誤差時間Ｔ６＝誤差時間変動単位時間Ｔ５×誤差時間着色単位９０
【００５４】
また、本実施形態では、想定起動処理時間Ｔ３を直近Ｎ回の起動処理時間の平均値としたが、起動処理時間の最大値、最小値、中間値、直前の値、等としてもよい。あるいは、固定値でもよい。
【００５５】
また、起動処理の進捗に応じて、起動処理進捗状況表示枠２０内を着色する例を示したが、着色による表示に限定されるものではない。例えば、明度及び又は彩度の変化、網掛けの有無等で表示することも可能であり、識別可能な画像により起動処理進捗状況表示枠２０内を経過時間に応じて塗りつぶすようにすればよい。あるいは、文字や数字で起動処理の進捗を表示してもよい。
【００５６】
また、起動処理進捗情報１の構成も、図３に示すものに限定されず、予め設定されている想定起動処理時間Ｔ３に対する起動処理開始後の経過時間の割合を示すことができれば、その構成は任意である。
【００５７】
また、タイマとして、制御部１１０の内部タイマを例示したが、外部タイマでもよい。タイマは、ハードウエアタイマでもソフトウエアタイマでもよい。
【００５８】
また、表示装置１００にコンテンツ情報を提供する外部装置として携帯端末２００を例示したが、表示装置１００にコンテンツ情報を提供する外部装置の種類は任意であり、いわゆるスマートフォン、フィーチャー・フォン、ＰＤＡ（Personal Data Assistance）、携帯型コンピュータなど、任意である。
【００５９】
本実施形態では、表示部１４０について、無線通信部１２０の起動処理進捗情報１の表示の説明をおこなった。他の実施形態として、表示部１４０の一部の領域に起動処理進捗情報１を表示し、他の領域に車両運行開始前に確認すべき車両情報等の他の情報を表示してもよい。
【００６０】
車両運行開始前に確認すべき車両情報として、例えば、車両診断情報を表示してもよい。この場合、例えば、現在時刻、起動（携帯端末２００との無線通信が確立する）までの予想時間、各種圧力（例えば、油圧）の状況、各種温度（例えば、水温、吸気温度）、ブレーキ状態（例えば、ＡＢＳ状況）、燃料状況（例えば、走行可能距離）、ドア状況（例えば、各ドアの開閉状況）、ライト状況（ヘッドライトの向き・オン・オフ、スモールランプのオン・オフ、フォグランプのオン・オフ、ウィンカーのオン・オフ、ハザードランプのオン・オフなどを車両の運行上重要な順に表示させるようにしてもよい。どの情報を選択して表示するかについては、予め、選択条件情報がＲＯＭ１１１又はＲＡＭ１１２に設定されていてもよいし、ユーザが設定してもよい。
【００６１】
本実施形態では、経過時間変動単位時間Ｔ４及び誤差時間変動単位時間Ｔ５は、予め設定されている時間であるが、これらの時間をユーザが設定できるようにしてもよい。
【００６２】
また、図１及び図２に示す表示装置１００の構造は適宜変更可能である。例えば、実施の形態では、表示装置１００内に有線通信部１３０（第２の通信Ｉ／Ｆ１３１）及び表示部１４０（ＬＣＤパネル１４２、バックライト１４１）を備える例を示したが、これらの装置は、表示装置１００の外部に配置されていてもよい。また、表示部１４０として、液晶表示画面を例示したが、他の任意の表示画面を使用できる。
【産業上の利用可能性】
【００６３】
本発明の表示装置は、自動車用のコンビネーションメーターに好適である。
【符号の説明】
【００６４】
１        起動処理進捗情報
１０      処理状況情報
２０      起動処理進捗状況表示枠
３０      処理済情報
４０      未処理情報
５０      経過時間変動表示範囲
６０      誤差時間変動表示範囲
７０      処理完了後変動表示範囲
８０      経過時間着色単位
９０      誤差時間着色単位
１００    表示装置
１１０    制御部
１１１    ＲＯＭ
１１２    ＲＡＭ
１１３    ＣＰＵ
１１４    入出力インタフェース
１１５    描画回路
１２０    無線通信部
１２１    第１の通信インタフェース
１３０    有線通信部
１３１    第２の通信インタフェース
１４０    表示部
１４１    バックライト（ＬＥＤ）
１４２    液晶表示パネル（ＬＣＤパネル）
２００    携帯端末（外部機器）
２１０    制御部
２２０    無線通信部
２３０    表示部
３００    ＥＣＵ
ｔ１      起動処理時間
ｔ２      基準時間
Ｔ３      想定起動処理時間
Ｔ４      経過時間変動単位時間
Ｔ５      誤差時間変動単位時間
Ｔ６      想定最大誤差時間
【図１】
2018074245.tif 000003
【図２】
2018074245.tif 000004
【図３】
2018074245.tif 000005
【図４】
2018074245.tif 000006
【図５】
2018074245.tif 000007
【図６】
2018074245.tif 000008
【図７】
2018074245.tif 000009
【図８】
2018074245.tif 000010